(57)【要約】【課題】少なくとも建屋内の機器搬入エリアよりも内側への水の浸入を防止でき、建屋内の一階よりも上方の階への機器の搬送が可能な放射性物質取扱施設を提供する。【解決手段】原子炉建屋１は４つの外壁２Ａ〜２Ｄを有し、大物機器搬入エリア４及び機器搬入エリア１０Ａ〜１０Ｅが原子炉建屋１内で一階に形成される。大物機器搬入エリア４は、コの字状の隔離壁３により、開閉扉５で開閉可能に封鎖される開口部側を除いて取り囲まれる。機器搬入エリア１０Ａ〜１０Ｅも、それぞれ、コの字状の隔離壁９Ａ〜９Ｅで取り囲まれる。水密ハッチが設けられた少なくとも二階以上の床が大物機器搬入エリア４の上方を封鎖する。大物機器搬入エリア４に搬入された機器は、原子炉建屋１の屋根に設けられたクレーンによって吊り上げられ、少なくとも二階以上の床に形成された開口部（その水密ハッチが外されている）を通して上の階まで搬送される。【選択図】図１
2013238545.tif 000002
【特許請求の範囲】
【請求項１】
複数の機器及びこの機器に接続される配管が内部に設置される建屋を備え、
前記建屋は、４つの外壁、及びこれらの外壁の上端部に設けられた屋根を有し、
前記外壁に形成されて開閉扉で封鎖される第１開口部に連通される少なくとも一つの機器搬入エリアが、前記建屋内で前記建屋の一階に形成され、
前記機器搬入エリアと、前記一階に形成される、前記機器搬入エリア以外の他のエリアが、前記第１開口部側を除いて前記機器搬入エリアを取り囲む隔離壁によって、互いに隔離されており、
前記機器搬入エリアに連通する第２開口部が形成された、前記建屋の少なくとも二階以上の床が、前記機器搬入エリアの上方に配置され、
前記第２開口部を封鎖する水密封鎖装置が、前記少なくとも二階以上の床に取り外し可能に取り付けられており、
前記第２開口部が前記水密封鎖装置で封鎖されている前記少なくとも二階以上の床が、前記機器搬入エリアと前記少なくとも二階以上の床より上方のエリアを隔離しており、
前記機器搬入エリアから前記第２開口部を通して前記少なくとも二階以上の床より上方のエリアに前記機器を移送する昇降装置を、前記建屋内に設置することを特徴とする放射性物質取扱施設。
【請求項２】
前記昇降装置が前記建屋の屋根に設けられる請求項１に記載の放射性物質取扱施設。
【請求項３】
前記建屋内で前記少なくとも二階以上の床と前記屋根の間に、他の階の床を設置し、前記少なくとも二階以上の床に形成された前記第２開口部の真上で、前記他の階の床に他の第２開口部を形成し、前記他の第２開口部を封鎖する他の水密装置が、前記他の階の床に取り外し可能に取り付けられており、前記他の階の床の下方に配置される、機器移送装置を案内するガイド部材を、前記他の第２開口部から水平方向に伸びるように、前記他の階の床に取り付けている請求項１または２に記載の放射性物質取扱施設。
【請求項４】
前記第２開口部の内面にシール部材が取り付けられ、この第２開口部内に嵌め込まれてこの第２開口部を封鎖する前記封鎖装置に前記シール部材と密着する他のシール部材を取り付ける請求項１に記載の放射性物質取扱施設。
【請求項５】
複数の機器及びこの機器に接続される配管が内部に設置される建屋を備え、
前記建屋は、４つの外壁、及びこれらの外壁の上端部に設けられた屋根を有し、
前記外壁に形成されて開閉扉で封鎖される第１開口部に連通される機器搬入エリアが、前記建屋内で前記建屋の二階の第１床より上方の階の第２床上に形成され、
前記第１開口部が形成された前記外壁よりも外側に張り出した張り出し部が、前記第２床よりも上方の位置で、前記第１開口部が形成された前記外壁に設けられ、
前記機器を前記第１開口部の高さまで移送する第１昇降装置を、前記張り出し部に設け、
前記張り出し部の下方に配置される、第１機器移送装置を案内する第１ガイド部材を、前記第１昇降装置から機器搬入エリア内まで水平方向に伸びるように、前記張り出し部に取り付けられ、
前記上方の階から前記建屋内における前記上方の階よりも上方のエリアに前記機器を移送する第２昇降装置を、前記建屋内に設置することを特徴とする放射性物質取扱施設。
【請求項６】
前記第２昇降装置が前記建屋の屋根に設けられる請求項５に記載の放射性物質取扱施設。
【発明の詳細な説明】
【技術分野】
【０００１】
本発明は、放射性物質取扱施設に係り、特に、原子力プラントに適用するのに好適な放射性物質取扱施設に関する。
【背景技術】
【０００２】
原子力プラント及び核燃料再処理施設等の放射性物質取扱施設においては、放射性物質を取り扱う種々の建屋が設けられている。原子力プラントに用いられる建屋、例えば、原子力建屋及びタービン建屋は、鉄筋コンクリート製であって鉄筋コンクリート製の外壁を有する。この外壁には、原子力プラントの建設時及び原子力プラントの運転停止後の定期検査時に作業員が外部から建屋に出入りするための、開閉扉を設けた複数の入口が、一階に設けられている。これらの入口は、建屋内の一階の各部屋及び階段とつながっている。各部屋の出入り口には扉が設置されているが、扉を開けると、各部屋はつながってしまう。原子力プラントの運転中では、放射線防護の観点から、外部から建屋に出入りするための複数の入口における各開閉扉は閉まっている。津波が来ても海水が建屋内に侵入しない建屋構造が望まれる。
【０００３】
内部への水の浸入を防止できる建屋の一例である緊急災害用貯蔵施設が、特開平９−６００５５号公報に記載されている。この緊急災害用貯蔵施設は、地震、台風及び大雨等の各種の自然災害に見舞われやすい場所に建てられ、そのような災害によって水、電気が立たれたときに、これらが復旧するまでの間、飲料水及び電気を被災地住民に供給する施設である。緊急災害用貯蔵施設の耐震建屋には、屋上に貯水槽及びポンプ室が設けられ、耐震建屋内の機械室に発電既設部及び油タンクが設置されている。耐震建屋内は前室と機械室に区分けされ、前室と機械室をつなぐ開口部には防水扉が設置されている。外部からの前室への作業員等の出入りは一階の天井部に形成された昇降口を通して行われるため、緊急災害用貯蔵施設の周辺が冠水した場合でも、前室及び機械室への浸水を防ぐことができる。前室の側面及び耐震建屋の側壁の外面に、前室への作業員等の出入りに使用されるタラップがそれぞれ設けられている。もし、昇降口を通して前室内に水が浸入しても、防水扉が設置されているため、機械室への浸水を防ぐことができる。また、防水シートが耐震建屋の外面に張り付けられている。昇降口を通して前室内に入った雨水等は、前室内に設置された排水ポンプにより耐震建屋外に排出される。
【先行技術文献】
【特許文献】
【０００４】
【特許文献１】特開平９−６００５５号公報
【発明の概要】
【発明が解決しようとする課題】
【０００５】
地震の発生により巨大な津波が押し寄せたときでも、放射性物質取扱施設の建屋内への海水の流入を防止することが望まれている。特開平９−６００５５号公報に記載された緊急災害用貯蔵施設の建屋では、外部との出入りを行う出入り口が建屋の外壁の一階部分に設けられていなく、作業員の建屋内への出入りは建屋に一階の天井に相当する位置に形成された昇降口を通して行われるため、一階の天井よりも低い津波が押し寄せた場合には、昇降口を通してその建屋内に海水が流入することを防止することができる。
【０００６】
放射性物質取扱施設では、建屋の建設時及び放射性物質取扱施設の保守点検時に、機器を建屋内に搬入する必要がある。特開平９−６００５５号公報に記載された緊急災害用貯蔵施設において機器を建屋内に搬入する場合には、開閉扉によって開閉される開口部を建屋の一階部分の外壁に形成し、この開口部を通して建屋内に機器を搬入しなければならない。そして、押し寄せた津波によって、万が一、開閉扉が損傷した場合には、海水が建屋内に流入してしまう。
【０００７】
本発明の目的は、少なくとも建屋内の機器搬入エリアよりも内側への水の浸入を防止することができ、建屋内の一階よりも上方の階への機器の搬送が可能である放射性物質取扱施設を提供することにある。
【課題を解決するための手段】
【０００８】
上記した目的を達成する本発明の特徴は、複数の機器及びこの機器に接続される配管が内部に設置される建屋を備え、
建屋は、４つの外壁、及びこれらの外壁の上端部に設けられた屋根を有し、
外壁に形成されて開閉扉で封鎖される第１開口部に連通される少なくとも一つの機器搬入エリアが、建屋内で建屋の一階に形成され、
機器搬入エリアと、一階に形成される、機器搬入エリア以外の他のエリアが、第１開口部側を除いて機器搬入エリアを取り囲む隔離壁によって、互いに隔離されており、
機器搬入エリアに連通する第２開口部が形成された、建屋の二階の床が、機器搬入エリアの上方に配置され、
第２開口部を封鎖する水密封鎖装置が、二階の床に取り外し可能に取り付けられており、
第２開口部が水密封鎖装置で封鎖されている二階の床が、機器搬入エリアと二階の床より上方のエリアを隔離しており、
機器搬入エリアから第２開口部を通して二階の床より上方のエリアに機器を移送する昇降装置を、建屋内に設置することにある。
【０００９】
機器搬入エリアと、一階に形成される、機器搬入エリア以外の他のエリアが、第１開口部側を除いて機器搬入エリアを取り囲む隔離壁によって、互いに隔離され、第２開口部が水密封鎖装置で封鎖されている二階の床が、機器搬入エリアと二階の床より上方のエリアを隔離しているので、万が一、津波または洪水が生じても、少なくとも建屋内の機器搬入エリアよりも内側への水の浸入を防止することができる。また、第２開口部を封鎖する水密封鎖装置が、二階の床に取り外し可能に取り付けられ、機器を搬送する昇降装置を建屋内に設けているので、建屋内の一階よりも上方の階への機器の搬送が可能である。
【発明の効果】
【００１０】
本発明によれば、少なくとも建屋内の機器搬入エリアよりも内側への水の浸入を防止することができ、建屋内の一階よりも上方の階への機器の搬送が可能である。
【図面の簡単な説明】
【００１１】
【図１】本発明の好適な一実施例である実施例１の放射性物質取扱施設である原子力プラントに用いられる原子炉建屋の一階部分の横断面である。
【図２】図１に示す原子炉建屋の大物搬入口付近での縦断面図である。
【図３】図１に示す原子炉建屋のハッチ付近の拡大縦断面図である。
【図４】図１に示す原子炉建屋内において大物搬入口から上方の階へ機器を搬送する状態を示す説明図である。
【図５】津波が押し寄せたときに図１に示す原子炉建屋内の大物搬入口に海水が流入した状態を示す説明図である。
【図６】従来の原子炉建屋の一階部分の横断面である。
【図７】本発明の他の実施例である実施例２の放射性物質取扱施設である原子力プラントに用いられる原子炉建屋の縦断面である。
【図８】津波が押し寄せたときに図７に示す原子炉建屋内の大物搬入口に海水が流入した状態を示す説明図である。
【発明を実施するための形態】
【００１２】
本発明の実施例を以下に説明する。
【実施例１】
【００１３】
本発明の好適な一実施例である実施例１の放射性物質取扱施設である原子力プラントに用いられる原子炉建屋を、図１及び図２を用いて説明する。
【００１４】
本実施例の原子力プラントが備えている原子炉建屋１は４つの外壁２Ａ，２Ｂ，２Ｃ及び２Ｄを有しており、大物機器搬入エリア４及び機器搬入エリア１０Ａ，１０Ｂ，１０Ｃ，１０Ｄ及び１０Ｅが原子炉建屋１内で一階に形成されている。原子炉建屋１内には、原子力プラントを構成する複数の機器（図示せず）及びこれらの機器を接続する複数の配管が設置されている。
【００１５】
大物機器搬入エリア４は、原子炉建屋１内に配置されたコの字状の隔離壁３によって、開閉扉５で開閉可能に封鎖される開口部７（第１開口部）側を除いて取り囲まれている。この隔離壁３は、外壁２Ａ，２Ｃに平行に配置されて互いに対向している側壁３Ａ，３Ｂ、及び外壁２Ｂに平行に配置された側壁３Ｃを有している。側壁３Ａ，３Ｂ、及び外壁２Ｂに平行に配置された側壁３Ｃは、一階１４Ａの床１３Ａと二階１４Ｂの床、すなわち一階１４Ａの天井の間を完全に仕切って一階１４Ａの床１３Ａ及び一階１４Ａの天井に取り付けられ、外壁２Ｂ側を除いて大物機器搬入エリア４を囲っている。隔離壁３は、大物機器搬入エリア４と大物機器搬入エリア４の外側に存在する、一階１４Ａの他のエリア１２とを完全に隔離している。大物機器搬入エリア４は、さらに、原子炉建屋１外に突出したエリアを有している。このエリアは、互いに対向して配置された側壁６Ａ，６Ｂを有しており、天井部８を側壁６Ａ，６Ｂの上端に取り付けている。側壁６Ａ，６Ｂ及び天井部８は外壁２Ｂの外面に取り付けられている。大物機器搬入エリア４の外部に通じる開口部７が、側壁６Ａ，６Ｂの先端部で側壁６Ａ，６Ｂ及び天井部８に囲まれて形成される。開閉扉５が、側壁６Ａ，６Ｂの先端部にそれぞれ回転可能に取り付けられ、開口部７の開閉を行う。開閉扉５を閉めると、大物機器搬入エリア４の開口部７が封鎖される。
【００１６】
機器搬入エリア１０Ａは、原子炉建屋１内に配置されたコの字状の隔離壁９Ａによって、外壁２Ｂに形成される開口部（第１開口部）を除いて取り囲まれている。隔離壁９Ａの下端部が一階１４Ａの床１３Ａに取り付けられ、隔離壁９Ａの上端部が一階１４Ａの天井に取り付けられる。隔離壁９Ａは機器搬入エリア１０Ａと一階１４Ａの他のエリア１２を完全に隔離している。開閉扉１１Ａは、外壁２Ｂに回転可能に取り付けられ、さらに、機器搬入エリア１０Ａと外部を連通する、外壁２Ｂに形成される開口部の開閉を行う。
【００１７】
機器搬入エリア１０Ｂは、原子炉建屋１内に配置されたコの字状の隔離壁９Ｂによって、外壁２Ｃに形成される開口部（第１開口部）を除いて取り囲まれている。隔離壁９Ｂの下端部が一階１４Ａの床１３Ａに取り付けられ、隔離壁９Ｂの上端部が一階１４Ａの天井に取り付けられる。隔離壁９Ｂは機器搬入エリア１０Ｂと一階１４Ａの他のエリア１２を完全に隔離している。開閉扉１１Ｂは、外壁２Ｃに回転可能に取り付けられ、さらに、機器搬入エリア１０Ｂと外部を連通する、外壁２Ｃに形成される開口部の開閉を行う。
【００１８】
機器搬入エリア１０Ｃは、原子炉建屋１内に配置されたコの字状の隔離壁９Ｃによって、外壁２Ａに形成される開口部（第１開口部）を除いて取り囲まれている。隔離壁９Ｃの下端部が一階１４Ａの床１３Ａに取り付けられ、隔離壁９Ｃの上端部が一階１４Ａの天井に取り付けられる。隔離壁９Ｃは機器搬入エリア１０Ｃと一階１４Ａの他のエリア１２を完全に隔離している。開閉扉１１Ｃは、外壁２Ａに回転可能に取り付けられ、さらに、機器搬入エリア１０Ｃと外部を連通する、外壁２Ａに形成される開口部の開閉を行う。
【００１９】
機器搬入エリア１０Ｄは、原子炉建屋１内にコの字状に配置された隔離壁９Ｄによって、外壁２Ａに形成される開口部（第１開口部）を除いて取り囲まれている。隔離壁９Ｄの下端部が一階１４Ａの床１３Ａに取り付けられ、隔離壁９Ｄの上端部が一階１４Ａの天井に取り付けられる。隔離壁９Ｄは機器搬入エリア１０Ｄと一階１４Ａの他のエリア１２を完全に隔離している。開閉扉１１Ｄは、外壁２Ａに回転可能に取り付けられ、さらに、機器搬入エリア１０Ｄと外部を連通する、外壁２Ａに形成される開口部の開閉を行う。
【００２０】
機器搬入エリア１０Ｅは、原子炉建屋１内にコの字状に配置された隔離壁９Ｅによって、外壁２Ｂに形成される開口部（第１開口部）を除いて取り囲まれている。隔離壁９Ｅの下端部が一階１４Ａの床１３Ａに取り付けられ、隔離壁９Ｅの上端部が一階１４Ａの天井に取り付けられる。隔離壁９Ｅは機器搬入エリア１０Ｅと一階１４Ａの他のエリア１２を完全に隔離している。開閉扉１１Ｅは、外壁２Ｂに回転可能に取り付けられ、さらに、機器搬入エリア１０Ｅと外部を連通する、外壁２Ｂに形成される開口部の開閉を行う。
【００２１】
原子炉建屋１は、図２に示すように、内部に、一階１４Ａ、二階１４Ｂ、三階１４Ｃ、四階１４Ｄ及び五階１４Ｅを有し、さらに、地下一階１４Ｆ及び地下二階１４Ｇを有する。原子炉建屋１では、外壁２Ａ，２Ｂ，２Ｃ及び２Ｄのそれぞれの二階１４Ｂの部分には、開閉扉が設けられていない。
【００２２】
大物機器搬入エリア４の外側で一階１４Ａに形成された開口部が、水密ハッチ１９Ｆで封鎖されている。二階１４Ｂの床１３Ｂには、大物機器搬入エリア４に連絡される開口部２６Ａ（図４参照）が形成され、この開口部２６Ａ（第２開口部）が水密ハッチ１９Ｂで封鎖されている。さらに、床１３Ｂには、大物機器搬入エリア４に連絡される他の開口部（第２開口部）が水密ハッチ１９Ａで封鎖されている。大物機器搬入エリア４に連絡される他の開口部が水密ハッチ１９Ａで封鎖されて開口部２６Ａが水密ハッチ１９Ｂで封鎖されている二階１４Ｂの床１３Ｂは、大物機器搬入エリア４と二階１４Ｂのエリアを隔離している。三階１４Ｃの床１３Ｃには、開口部２６Ａの真上に位置して開口部２６Ｂ（図４参照）が形成され、この開口部２６Ｂ（第２開口部）が水密ハッチ１９Ｃで封鎖されている。四階１４Ｄの床１３Ｄには、開口部２６Ｂの真上に位置して開口部２６Ｃ（図４参照）が形成され、この開口部２６Ｃ（第２開口部）が水密ハッチ１９Ｄで封鎖されている。五階１４Ｅの床１３Ｅには、開口部２６Ｃの真上に位置して開口部２６Ｄ（図４参照）が形成され、この開口部２６Ｄ（第２開口部）が水密ハッチ１９Ｅで封鎖されている。地下一階１４Ｆの床１３Ｆには、水密ハッチ１９Ｆで封鎖された開口部の真下に位置して形成された開口部が水密ハッチ１９Ｇで封鎖されている。床１３Ｆの他の位置に形成された開口部が水密ハッチ１９Ｉで封鎖されている。２１は地表である。
【００２３】
原子炉建屋の一部の屋根１６Ａが、水密ハッチ１９Ａの真上で床１３Ｃの上方に形成されており、外壁１５に取り付けられる。外壁２Ｂは、一階１４Ａ、二階１４Ｂ、三階１４Ｃ及び四階１４における外壁となっており、外壁１５は五階１４Ｅでの外壁である。屋根１６Ａは床１３Ｅと同じ高さである。外壁１５に取り付けられた、原子炉建屋の屋根１６Ｂが、五階１４Ｅの床１３Ｅの上方に位置している。
【００２４】
機器吊り上げ用のクレーン１７（昇降装置）が、水密ハッチ１９Ｅの真上の位置で屋根１６Ｂの下面（五階１４Ｅの天井）に取り付けられる。機器を搬送するモノレール（機器移送装置）のレール２０（ガイド部材）が、屋根１６Ｂの下面に取り付けられ、クレーン１７の位置から水平方向に伸びている。モノレールのレール１８Ａ（ガイド部材）が床１３Ｃの下面（二階１４Ｂの天井）に設けられ、開口部２６Ｂの位置から水平方向に伸びている。モノレールのレール１８Ｂ（ガイド部材）が床１３Ｄの下面（三階１４Ｃの天井）に設けられ、開口部２６Ｃの位置から水平方向に伸びている。モノレールのレール１８Ｃ（ガイド部材）が床１３Ｅの下面（四階１４Ｄの天井）に設けられ、開口部２６Ｄの位置から水平方向に伸びている。
【００２５】
機器搬入エリア１０Ｂ，１０Ｃ及び１０Ｄに対しても、大物機器搬入エリア４の真上にそれぞれ位置して大物機器搬入エリア４に連絡される開口部２６Ａ，２６Ｂ，２６Ｃ及び２６Ｄと同様に、各機器搬入エリアの真上にそれぞれ位置して各機器搬入エリア４に連絡される開口部が、床１３Ｂ，１３Ｃ，１３Ｄ及び１３Ｅにそれぞれ形成される。これらの開口部も、水密ハッチで封鎖されている。機器搬入エリア１０Ｂ，１０Ｃ及び１０Ｄのそれぞれの真上の位置で屋根１６Ｂの下面にクレーン（図示せず）がそれぞれ設けられている。
【００２６】
さらに、機器搬入エリア１０Ａ及び１０Ｅに対しても、大物機器搬入エリア４の真上にそれぞれ位置して大物機器搬入エリア４に連絡される開口部２６Ａ，２６Ｂ，２６Ｃ及び２６Ｄと同様に、機器搬入エリア１０Ａ及び１０Ｅのそれぞれの真上にそれぞれ位置して各機器搬入エリア４に連絡される開口部が、床１３Ｂ，１３Ｃ及び１３Ｄにそれぞれ形成される。これらの開口部も、水密ハッチで封鎖されている。機器搬入エリア１０Ａ及び１０Ｅのそれぞれの真上の位置で屋根１６Ａの下面にクレーン（図示せず）がそれぞれ設けられている。
【００２７】
機器搬入エリア１０Ａ〜１０Ｅにそれぞれ連絡される開口部がそれぞれ水密ハッチで封鎖されている二階１４Ｂの床１３Ｂは、機器搬入エリア１０Ａ〜１０Ｅのそれぞれと二階１４Ｂのエリアを隔離している。
【００２８】
各水密ハッチ（水密封鎖装置）の構造を、水密ハッチ１９Ｂを例に挙げ、図３を用いて説明する。水密ハッチ１９が取り外し可能に取り付けられる開口部２６Ａは、段差部が形成されており、上部の内径が下部の内径よりも大きくなっている。開口部２６Ａの内面には、全面に亘って、ゴム製のシール部材２２が張り付けられている。開口部２６Ａに挿入される水密ハッチ１９Ｂは外面に段差部が形成され、上部の外径が下部の外径よりも大きくなっている。水密ハッチ１９Ｂの外面には、全面に亘って、ゴム製のシール部材２３が張り付けられている。水密ハッチ１９Ｂが上方より開口部２６Ａ内に挿入され、この状態においてシール部材２３の外面がシール部材２２の内面に密着する。リング状の固定金具２４が、シール部材２２及び２３を覆って床１３Ｂ及び水密ハッチ１９Ｂのそれぞれの上面に置かれ、締め付け具２５Ａによって床１３Ｂに、締め付け具２５Ｂによって水密ハッチ１９Ｂにそれぞれ固定される。多数の板状の固定金具２４は、水密ハッチ１９Ｂの半径方向に伸びており、水密ハッチ１９Ｂの周方向において所定の間隔を置いて配置されている。
【００２９】
作業員が原子炉建屋１内に出入りするために、階段またはラダーが、図示されていないが、例えば、外壁２Ｂの外面に設けられている。この階段またはラダーは、三階１４Ｃの床１３Ｃの高さまで達している。作業員用の出入り口は、外壁２Ｂの三階１４Ｃ部分に形成され、外壁２Ｂに回転可能に取り付けられた開閉扉により封鎖されている。作業員は、階段またはラダーを上ってこの開閉扉を開けることによって作業員用の出入り口を通って原子炉建屋１内の三階１４Ｃに入ることができる。
【００３０】
原子力プラントの運転が停止された後の定期検査期間において、原子力プラントに設置されている或る機器が新しい機器と交換される。この機器の交換を、大物機器搬入エリア４を利用する場合を例に挙げて、図４を用いて説明する。交換対象の機器２８が、原子力プラントから取り外されて、周囲を放射線遮へい体で取り囲まれた状態で、例えば、原子炉建屋１の五階１４Ｆにおいて屋根１６Ｂの下面に取り付けられたレール２０に沿って移動するモノレールに吊り下げられてクレーン１７の位置まで移動する。放射線遮へい体は、機器２８が所定の保管場所まで搬送される間、及び機器２８がその保管場所に保管されている間、機器２８に取り付けられている。この機器２８が、クレーン１７のワイヤ２７の先端部に取り付けられたフック（図示せず）に吊り下げられ、その後、レール２０を移動するモノレールから取り外される。放射線遮へい体で取り囲まれた機器２８は、クレーン１７のワイヤ２７を巻き戻すことによって開口部２６Ｄ，２６Ｃ，２６Ｂ及び２６Ａを順次通って大物機器搬入エリア４まで下降され、大物機器搬入エリア４内に止まっているトレーラ（図示せず）に載せられる。取り外された機器２８を載せたトレーラが、開閉扉５が開いているため、大物機器搬入エリア４の開口部７を通して原子炉建屋１外の所定の保管場所まで搬送される。開口部２６Ｄ，２６Ｃ，２６Ｂ及び２６Ａにそれぞれ取り付けられた水密ハッチ１９Ｅ，１９Ｄ，１９Ｃ及び１９Ｂが、固定金具２４、及び締め付け具２５Ａ，２５Ｂを取り外すことによって、機器２８の下降前に予め取り外されている。取り外した機器の移動に、原子炉建屋１内の五階１４Ｅで屋根１６Ｂ付近に設置された天井クレーン（図示せず）を用いても良い。
【００３１】
原子力プラントから取り外された機器の重量及びこの機器を取り囲む放射線遮へい体の重量の合計重量が、レール２０を移動するモノレールで搬送可能な重量をオーバーする場合には、その機器、例えば、大物機器は原子炉建屋内の所定の領域である大きさに切断され、大物機器の複数の切断片を所定容積の複数の収納容器内に収納する。この収納容器に、周囲を取り囲むように、放射線遮へい体を取り付ける。放射線遮へい体で囲まれて内部に機器の複数の切断片を収納した各収納容器が、レール２０を移動するモノレール、及びクレーン１７を用いて、大物機器搬入エリア４に停車しているトレーラまで移送される。トレーラに積載された、複数の切断片を収納した複数の収納容器は、トレーラによって所定の保管場所まで搬送される。
【００３２】
取り外された機器の替りに原子力プラントに取り付けられる新しい機器２８は、トレーラに積まれ、開閉扉５が開いている大物機器搬入エリア４に搬入される。この機器２８は、クレーン１７のフックに吊り下げられ、クレーン１７のワイヤ２７を巻き取ることによって開口部２６Ａ，２６Ｂ，２６Ｃ及び２６Ｅを通して五階１４Ｆまで引き上げられる。その後、機器２８が、クレーン１７からレール２０に沿って移動するモノレールに移され、モノレールによって、原子力プラントに設置する位置またはその付近まで移送される。搬入された新しい機器２８は、原子力プラントの所定の位置に設置される。
【００３３】
大物機器搬入エリア４に搬入された新しい機器２８が二階１４Ｂにおいて原子力プラントの所定位置に取り付けられる場合には、大物機器搬入エリア４からクレーン１７で開口部２６Ａを通して二階１４Ｂまで吊り上げられた新しい機器２８が、レール１８Ａを移動するモノレールに移されて二階１４Ｂの所定位置まで搬送される。新しい機器２８が三階１４Ｃにおいて原子力プラントに取り付けられる場合には、クレーン１７で三階１４Ｃまで吊り上げられた新しい機器２８が、レール１８Ｂを移動するモノレールに移されて三階１４Ｃの所定位置まで搬送される。また、新しい機器２８が四階１４Ｄにおいて原子力プラントに取り付けられる場合には、クレーン１７で四階１４Ｄまで吊り上げられた新しい機器２８が、レール１８Ｃを移動するモノレールに移されて四階１４Ｄの所定位置まで搬送される。
【００３４】
大物機器搬入エリア４に搬入された新しい機器２８を一階１４Ａ、地下一階１４Ｆ及び地下二階１４Ｇに搬送する例について説明する。一階１４Ａの或る場所で原子力プラントに新しい機器２８を設置する場合には、上記したように、レール１８Ａを移送するモノレールに新しい機器２８を移し、この新しい機器２８を、このモノレールによって、水密ハッチ１９Ａ及び１９Ｂ以外の位置で床１３Ｂに形成された開口部（水密ハッチが取り外されている）の真上において、床１３Ｃの下面（二階１４Ｂの天井）に設けられたクレーン（図示せず）付近まで移送する。この新しい機器２８を、このクレーンに移して一階１４Ａまで降ろし、一階１４Ａにおいてモノレール等を用いて設置位置まで搬送する。地下一階１４Ｆの或る場所で原子力プラントに新しい機器２８を設置する場合には、床１３Ｃの下面（二階１４Ｂの天井）に設けられたクレーンにより、一階１４Ａまで降ろされた新しい機器２８を、さらに、床１３Ａに形成された開口部（水密ハッチが取り外されている）を通して地下一階１４Ｆまで降ろす。この新しい機器２８は、地下一階１４Ｆにおいてモノレール等を用いて設置位置まで搬送される。地下二階１４Ｇの或る場所で原子力プラントに新しい機器２８を設置する場合には、床１３Ｃの下面（二階１４Ｂの天井）に設けられたクレーンにより、地下一階１４Ｆまで降ろされた新しい機器２８を、さらに、床１３Ｆに形成された開口部（水密ハッチが取り外されている）を通して地下二階１４Ｇまで降ろす。この新しい機器２８は、地下二階１４Ｇにおいてモノレール等を用いて設置位置まで搬送される。
【００３５】
機器２８の搬出入が完了した後に、水密ハッチ１９Ｂ，１９Ｃ，１９Ｄ及び１９Ｅが、床１３Ｂ，１３Ｃ，１３Ｄ及び１３Ｅに形成された開口部２６Ａ，２６Ｂ，２６Ｃ及び２６Ｄに嵌め込まれ、固定金具２４及び締め付け具２５Ａ及び２５Ｂによって床１３Ｂ，１３Ｃ，１３Ｄ及び１３Ｅに固定される。固定金具２４及び締め付け具２５Ａ及び２５Ｂによって固定されたこれらの水密ハッチのシール部材２３の外面が、各開口部の内面に設けられたシール部材２２の内面に密着しているため、後述するように、津波発生時において大物機器搬入エリア４内に海水が浸入した場合に、この海水が二階１４Ｂの領域に浸入することを防止することができる。
【００３６】
定期検査の期間において、開閉扉１１Ａ〜１１Ｅを開くことによって機器搬入エリア９Ａ〜９Ｅに、トレーラによって機器が搬入される。この機器は、大物搬入エリア４に搬入された大物機器の場合と同様に、各機器エリアの真上の位置で屋根に取り付けられたクレーンにより、該当する階まで引き上げられ、原子炉建屋１内の所定の位置までモノレールにより移送され、原子力プラントの所定の位置に設置される。この機器の搬入時（または搬出時）において、各機器搬入エリアの真上に位置する水密ハッチは床から取り外されている。機器の搬入（または搬出）が終了した後、これらの水密ハッチは、水密ハッチ１９Ｂ〜１９Ｅと同様に、該当する床に取り付けられる。
【００３７】
地震の発生によって生じた津波が原子炉建屋１に向かって押し寄せ、この津波によって開閉扉５が、万が一、損傷した場合を想定する。図５に示すように、押し寄せた津波によって、海水２９の水面３０が床１３Ｂと床１３Ｃの間の高さまで到達したとする。津波となって押し寄せた海水は、隔離壁３によって取囲まれた大物機器搬入エリア４内に浸入する。この海水は、隔離壁３、及び水密ハッチ１９Ａ及び１９Ｂが取り付けられた床１３Ｂによって遮られて大物機器搬入エリア４内に浸入するだけである。海水２９は、大物機器搬入エリア４以外の、原子炉建屋１内の領域、例えば、隔離壁３よりも内側の一階１４Ａの領域、及び二階１４Ｂには浸入しない。大物機器搬入エリア４内に、万が一、海水が浸入しても、水密ハッチ１９Ａ及び１９Ｂの上面が周方向に配置されたそれぞれ所定数の固定金具２４によって押さえられているため、水密ハッチ１９Ａ及び１９Ｂが浮き上がることはない。
【００３８】
従来の原子力プラントの原子炉建屋１Ｂは、図６に示すように、外壁２Ａ，２Ｂ，２Ｃ及び２Ｄを有し、外壁２Ｂに開閉扉５Ａ，１１Ａ及び１１Ｅを取り付け、外壁２Ｃに開閉扉１１Ｂを取り付け、さらに、外壁２Ａに開閉扉１１Ｃ及び１１Ｄを取り付けている。開閉扉５Ａは、大物機器搬入エリア４Ａを開閉するものであり、具体的には、互いに対向して配置されて外壁２Ｂに設けられた側壁６Ａ，６Ｂに取り付けられている。側壁６Ａ，６Ｂの上端には、天井部（図示せず）が形成されている。大物機器搬入エリア４Ａは、側壁６Ａと側壁６Ｂの間に形成される。開閉扉１１Ａ〜１１Ｅは、該当する外壁に形成された機器搬入用の開口部の開閉を行う。原子炉建屋１Ｂには、本実施例の原子炉建屋１のように隔離壁が形成されていないために、津波によって、万が一、開閉扉が損傷した場合には、原子炉建屋１Ｂの一階の全領域に海水が浸入してしまう。また、原子炉建屋１Ｂには、例えば、大物搬入エリア内に搬入された大物機器が吊り上げられる際に通過する、二階の床に形成された開口部には、ハッチが設けられていない。このため、図５に示すように、二階１４Ｂの床１３Ｂよりも高い津波が押し寄せたときに、大物機器搬入エリアに設けられた開閉扉が、万が一、損傷した場合には、原子炉建屋１Ｂ内に浸入した海水が二階の床面よりも上方にも浸入してしまう。
【００３９】
本実施例によれば、原子炉建屋１には、各機器搬入エリアが開閉扉側を除いて隔離壁で取り囲まれ、さらに、各機器搬入エリアの真上には水密ハッチ１９Ａ及び１９Ｂが取り付けられた、二階１４Ｂの床１３Ｂが存在するので、津波が押し寄せたときに、開閉扉が、万が一、損傷した場合においても、海水が機器搬入エリアの領域に浸入するだけであり、原子炉建屋１内において機器搬入エリア以外の領域に海水が浸入することを防止することができる。さらに、本実施例によれば、津波が来ない正常な状態では、機器搬入エリアの真上に位置する各水密ハッチを取り外すことにより、原子炉建屋１の屋根１６Ｂ（または１６Ａ）に設けたクレーンにより、機器搬入エリアに搬入した機器を原子炉建屋１内の所定の階まで搬送することができる。
【実施例２】
【００４０】
本発明の他の実施例である実施例２の放射性物質取扱施設である原子力プラントの原子炉建屋を、図７を用いて説明する。
【００４１】
本実施例の原子力プラントに備えられた原子炉建屋１Ａは、外壁２Ａ，２Ｂ，２Ｃ及び２Ｄの一階部分には、実施例１の原子力プラントに用いられる原子炉建屋１のように開閉扉５及び１１Ａ〜１１Ｅを設けていなく、それらの外壁の三階部分に開閉扉３２Ａ（図８参照）を設けている。このため、原子炉建屋１Ａでは、五階１４Ｅの床１３Ｅの高さの位置で各外壁に外壁の外側に向かう張り出し部１６Ｃをそれぞれ形成し、この張り出し部１６Ｃの下面にクレーン３３（昇降装置）を設置している。機器を搬送するモノレール（機器移送装置）のレール（ガイド部材）３４が、クレーン３３から原子炉建屋１Ａ内に向かって設けられている。さらに、図７には図示されていないが、実施例１と同様に、モノレール（機器移送装置）のレール（ガイド部材）１８Ａ，１８Ｂ，１８Ｃが設けられている。レール１８Ａが床１３Ｃの下面（二階１４Ｂの天井）に設けられ、開口部２６Ｂの位置から伸びている。レール１８Ｂが床１３Ｄの下面（三階１４Ｃの天井）に設けられ、開口部２６Ｃの位置から伸びている。モノレールのレール１８Ｃが床１３Ｅの下面（四階１４Ｄの天井）に設けられ、開口部２６Ｄの位置から伸びている。
【００４２】
原子炉建屋１と同様に、作業員が原子炉建屋１Ａ内に出入りするために、三階１４Ｃの床１３Ｃの高さまで達する階段またはラダーが、図示されていないが、例えば、外壁２Ｂの外面に設けられている。外壁２Ｂに回転可能に取り付けられた開閉扉により封鎖されている作業員用の出入り口が、外壁２Ｂの三階１４Ｃ部分に形成されている。作業員は、階段またはラダーを上ってこの開閉扉を開けることによって作業員用の出入り口を通って原子炉建屋１Ａ内の三階１４Ｃに入ることができる。
【００４３】
原子力プラントの運転が停止された後の定期検査期間において、原子力プラントに設置されている或る機器が新しい機器と交換される。この機器の交換を、図７を用いて説明する。機器の交換時には、水密ハッチ１９Ｄ及び１９Ｅが取り外されている。交換対象の機器２８Ａが、原子力プラントから取り外されて、周囲を放射線遮へい体で取り囲まれた状態で、例えば、五階１４Ｆでレール２０に沿って移動するモノレールに吊り下げられてクレーン１７の位置まで移動する。放射線遮へい体は、機器２８Ａが所定の保管場所まで搬送される間、及び機器２８Ａがその保管場所に保管されている間、機器２８Ａに取り付けられている。放射線遮へい体で取り囲まれた機器２８Ａが、実施例１における機器２８と同様に、クレーン１７のワイヤ２７の先端部に取り付けられたフックに吊り下げられ、その後、レール２０を移動するモノレールから取り外される。機器２８Ａは、クレーン１７のワイヤ２７を巻き戻すことによって開口部２６Ｄ及び２６Ｃを通って三階１４Ｃまで下降される。三階１４Ｃまで下降された機器２８Ａは、搬送車（図示せず）に載せられて三階１４Ｃに形成された機器搬入エリア３１まで移送される。この機器２８Ａは、機器搬入エリア３１においてレール３４を移動するモノレール（図示せず）に吊り下げられて、開閉扉３２Ａが開いているので開口部３２を通って原子炉建屋１Ａの外側に搬出される。クレーン３３付近まで移送された機器２８Ａは、クレーン３３のワイヤ３５の先端部に取り付けられたフック（図示せず）に吊り下げられ、その後、レール３４を移動するモノレールから取り外される。このモノレールからワイヤ３５の先端部のフックへの機器２８Ａの付け替えは、原子炉建屋１Ａの外で外壁２Ｂの側に設置された作業台（図示せず）上において、作業員によって行われる。その後、機器２８Ａは、クレーン１７のワイヤ２７を巻き戻すことによって下降され、原子炉建屋１Ａの外でクレーン３３の真下に停車しているトレーラ（図示せず）に載せられる。放射線遮へい体で取り囲まれたこの機器２８Ａは、トレーラにより所定の保管場所まで搬送される。
【００４４】
本実施例においても、原子力プラントから取り外された機器の重量及びこの機器を取り囲む放射線遮へい体の重量の合計重量が、レール２０を移動するモノレールで搬送可能な重量をオーバーする場合には、実施例１と同様に、その機器を複数の切断片に切断し、これらの切断片を収納して放射線遮へい体で取り囲まれた収納容器を、モノレール等を用いて原子炉建屋１Ａ外まで搬送しても良い。
【００４５】
取り外された機器２８Ａの替りに原子力プラントに取り付けられる新しい機器２８Ａは、トレーラに積まれ、原子炉建屋１Ａ外でクレーン３３の真下まで搬送される。この新しい機器２８Ａは、取り外した機器２８Ａの搬送経路を逆にたどり、原子炉建屋１Ａ内における原子力プラントの設置位置まで搬送される。すなわち、新しい機器２８Ａは、クレーン３３のフックに吊り下げられ、クレーン３３のワイヤ３５を巻き取ることによって開口部３２の高さまで吊り上げられる。新しい機器２８Ａは、クレーン３３からレール３４を移動するモノレールに移され、機器搬入エリア３１に搬送される。ここで、新しい機器２８Ａは、搬送台車に移され、三階１４Ｃにおいてクレーン１７の真下の位置まで搬送される。クレーン１７のフックに吊り下げられた新しい機器２８Ａは、クレーン１７のワイヤ２７を巻き取ることによって、開口部２６Ｃ及び２６Ｅを通って五階１４Ｆまで吊り上げられる。その後、新しい機器２８Ａが、レール２０に沿って移動するモノレールによって、原子力プラントに設置する位置またはその付近まで移送される。搬入された新しい機器２８Ａは、原子力プラントの所定の位置に設置される。
【００４６】
開口部３２を通して機器の搬出入を行うとき以外には、開閉扉３２Ａが閉じられて開口部３２が封鎖されている。
【００４７】
地震の発生によって生じた津波が原子炉建屋１Ａに向かって押し寄せた場合を想定する。図８に示すように、押し寄せた津波によって、海水２９の水面３０が床１３Ｂと床１３Ｃの間の高さまで到達したとする。原子炉建屋１Ａは外壁２Ａ，２Ｂ，２Ｃ及び２Ｄのそれぞれの一階１４Ａ及び二階１４Ｂのそれぞれの部分に開閉扉を設けていないため、押し寄せた津波の海水は、原子炉建屋１Ａの一階１４Ａ及び二階１４Ｂのそれぞれの領域に浸入することを防止することができる。
【００４８】
本実施例は、原子炉建屋１Ａの一階１４Ａに開閉扉を備えていないため、実施例１よりも原子炉建屋１Ａ内に海水が浸入する確率を低減することができる。さらに、本実施例によれば、津波が来ない正常な状態では、張り出し部１６Ｃに設けたクレーン３３を用いて原子力プラントに取り付ける機器を外壁の三階１４Ｃ部分に形成した開口部を通して原子炉建屋１Ａ内に搬入することができ、さらに、この機器を原子炉建屋１Ａ内の所定の階まで搬送することができる。
【００４９】
実施例１及び２の原子力プラントに用いられる上記したそれぞれの建屋の構造は、原子力プラントのタービン建屋に適用することができる。さらに、実施例１及び２の原子力プラントは、原子力プラントのタービンから排気される蒸気を凝縮する復水器に海水を供給するために、海の近くに設置されているが、タービンから排気される蒸気を凝縮する復水器に川の水を用いる、川のそばに設置された原子力プラントの原子炉建屋及びタービン建屋に、実施例１及び２の原子力プラントに用いられる上記したそれぞれの建屋の構造を適用することができる。この場合には、洪水により氾濫した川の水が原子炉建屋及びタービン建屋に押し寄せた場合にも、その水の建屋内への浸水を防止することができる。
【００５０】
実施例１及び２の原子力プラントに用いられる上記したそれぞれの建屋の構造は、原子力プラント以外の放射性物質取扱施設、例えば、核燃料再処理施設の建屋に適用することができる。
【符号の説明】
【００５１】
１，１Ａ…原子炉建屋、２Ａ，２Ｂ，２Ｃ，２Ｄ…外壁、３，９Ａ〜９Ｅ…隔離壁、５…大物機器搬入エリア、７，２６Ａ〜２６Ｄ，３２…開口部、１０Ａ〜１０Ｅ，３１…機器搬入エリア、１１Ａ〜１１Ｅ，３２Ａ…開閉扉、１３Ａ〜１３Ｆ…床、１４Ａ…一階、１４Ｂ…二階、１４Ｃ…三階、１４Ｄ…四階、１４Ｅ…五階、１４Ｆ…地下一階、１４Ｇ…地下二階、１６Ａ，１６Ｂ…屋根、１６Ｃ…張り出し部、１７，３３…クレーン、１８Ａ〜１８Ｃ，２０，３４…レール、１９Ａ〜１９Ｉ…水密ハッチ、２２，２３…シール部材、２４…固定金具。
【図１】
2013238545.tif 000003
【図２】
2013238545.tif 000004
【図３】
2013238545.tif 000005
【図４】
2013238545.tif 000006
【図５】
2013238545.tif 000007
【図６】
2013238545.tif 000008
【図７】
2013238545.tif 000009
【図８】
2013238545.tif 000010